(57)【要約】  【課題】  小型・軽量で必要十分な強度を有し、かつ、通気性に優れ、吸引性能が低下し難い除塵手段を備えた集塵袋式の電気掃除機を提供する。  【解決手段】  集塵室内の集塵袋の上部に配置された除塵部材にハニカム構造の通気穴を形成した。また、除塵部材は前記蓋体に沿うような曲面を有し、前記曲面から前記集塵袋の側に最も突出した形状を、前記除塵部材を支持する軸部から最も遠い位置に配置した。【選択図】  図１６
2018042584.tif 000002
【特許請求の範囲】
【請求項１】
電動送風機および集塵室を有する掃除機本体と、前記集塵室内に配置された集塵袋と、前記集塵室を開閉する蓋体を備えた電気掃除機において、
前記集塵室内の前記集塵袋の上部に配置され、流路構成部材は集塵袋を潰す方向、もしくは振動する方向に動作可能に配置された除塵部材を有し、
前記除塵部材はハニカム構造で形成された通気穴と、
前記除塵部材と前記蓋体の間に流路空間を有することを特徴とする電気掃除機。
【請求項２】
請求項1において、前記除塵部材は前記蓋体に沿うような曲面を有し、前記曲面から前記集塵袋の側に最も突出した形状が、前記除塵部材を支持する軸部から最も遠い位置に配置されることを特徴とする電気掃除機。
【発明の詳細な説明】
【技術分野】
【０００１】
本発明は、集塵袋を搭載した電気掃除機に関する。
【背景技術】
【０００２】
近年の電気掃除機は、様々なタイプのものが存在する。一般的な家庭用電気掃除機は大別すると、吸引したゴミを袋状になった集塵袋で濾し取る集塵袋式と、コーン状の筒の中で空気を回転させ遠心力により空気とゴミを分離するサイクロン式とに分けられる。
【０００３】
集塵袋式の電気掃除機として、例えば、特許文献１には、「電気掃除機本体の集塵室内の集塵袋上面をたたく除塵手段を設けた電気掃除機」が開示されている。特許文献１の電気掃除機によれば、塵埃を吸引した際の集塵袋の目詰まりを防止する為に、前記除塵手段は、前記集塵袋の上面に配置され、前記除塵手段は前記集塵袋の上面の前後を叩く、叩き部材と、その叩き部材を駆動する為の駆動用モータと、前記駆動用モータから動力を伝達するカムを有して構成されている。
【先行技術文献】
【特許文献】
【０００４】
【特許文献１】特開２００７-１１１３５２号公報
【発明の概要】
【発明が解決しようとする課題】
【０００５】
しかしながら、特許文献１の方法では、集塵袋を振動させ、除塵を行う除塵手段を、叩き部材、駆動用モータ、動力伝達のカムで構成し、且つ強度を確保する為、前記部品を一体とする為にケースで覆う必要があった。この為、除塵手段が大型化し、集塵袋の集塵容積が小さくなり、また重量も重くなってしまう恐れがある。
【０００６】
さらに、前記除塵機構は外郭がケースで覆われていることで、除塵機構を通過する空気の流れが発生しづらい。この為、塵埃を吸引した場合に、集塵袋が前記除塵部材に張り付いてしまい、集塵袋と前記除塵部材との間で風の流れる空間が減少し、吸引力が低下する原因となる恐れがある。
【０００７】
また、空気が通るように前記除塵機構に穴をあける為には同時に強度の確保が必要となるが、特許文献１に記載のような形状では強度を確保する為に多数のリブを必要とする恐れがある。その場合、十分な開口面積を確保することが困難となる恐れがある。
【０００８】
そこで、本発明の目的は、上記問題を解決し、小型・軽量で必要十分な強度を有し、かつ、通気性に優れ、吸引性能が低下し難い除塵手段を備えた集塵袋式の電気掃除機を提供することにある。
【０００９】
また、本発明の目的は、掃除機本体における集塵室の容量をできるだけ大きくし、大容量の集塵袋式の電気掃除機を提供することにある。
【課題を解決するための手段】
【００１０】
上記課題を解決するために、本発明は、本体の内部に集塵室と集塵袋と電動送風機と、前記集塵室を開閉する蓋体を有する電気掃除機において、前記集塵室内の前記集塵袋の上部に配置され、流路構成部材は集塵袋を潰す方向、もしくは振動する方向に動作可能に配置された除塵部材を有し、前記除塵部材はニカム構造で形成された通気穴を有しており、前記除塵部材は前記蓋体に沿うような曲面を有し、前記曲面から前記集塵袋の側に最も突出した形状が、前記除塵部材を支持する軸部から最も遠い位置に配置され前記除塵部材は前記蓋体の内側に吸引風の流れる流路空間を有することを特徴とする。
【発明の効果】
【００１１】
本発明によれば、上記問題を解決し、小型・軽量で必要十分な強度を有し、かつ、通気性に優れ、吸引性能が低下し難い除塵手段を備えた集塵袋式の電気掃除機を実現できる。
【００１２】
また、掃除機本体における集塵室の容量をできるだけ大きくすることにより、大容量の集塵袋式の電気掃除機を実現できる。
【００１３】
上記した以外の課題、構成及び効果は、以下の実施形態の説明により明らかにされる。
【図面の簡単な説明】
【００１４】
【図１】本発明の一実施形態に係る電気掃除機の概略構成を示す図である。
【図２】本発明の一実施形態に係る電気掃除機の概略構成を示す図である。
【図３】本発明の一実施形態に係る電気掃除機の集塵室内部を示す図である。
【図４Ａ】本発明の一実施形態に係る電気掃除機の集塵袋保持部材の斜視図である。
【図４Ｂ】本発明の一実施形態に係る電気掃除機の集塵袋保持部材の平面図である。
【図５】本発明の一実施形態に係る電気掃除機の横断面図である。
【図６】本発明の一実施形態に係る電気掃除機の集塵室内部を示す図である。
【図７】本発明の一実施形態に係る電気掃除機の横断面図である。
【図８】本発明の一実施形態に係る電気掃除機の集塵袋の口板を示す図である。
【図９Ａ】本発明の一実施形態に係る電気掃除機の集塵袋の平面図である。
【図９Ｂ】本発明の一実施形態に係る電気掃除機の集塵袋の一部断面図である。
【図９Ｃ】本発明の一実施形態に係る電気掃除機の集塵袋の一部断面図である。
【図１０Ａ】本発明の一実施形態に係る電気掃除機の集塵袋の装着方法を示す図である。
【図１０Ｂ】本発明の一実施形態に係る電気掃除機の集塵袋の装着方法を示す図である。
【図１０Ｃ】本発明の一実施形態に係る電気掃除機の集塵袋の装着方法を示す図である。
【図１０Ｄ】本発明の一実施形態に係る電気掃除機の集塵袋の装着方法を示す図である。
【図１１Ａ】本発明の一実施形態に係る電気掃除機の集塵袋保持部材の一部断面図である。
【図１１Ｂ】本発明の一実施形態に係る電気掃除機の集塵袋保持部材の一部断面図である。
【図１１Ｃ】本発明の一実施形態に係る電気掃除機の集塵袋保持部材の一部断面図である。
【図１２】本発明の実施の形態の一例に係る塵落とし部材の斜視図である。
【図１３】本発明の実施の形態の一例に係る電気掃除機本体の集塵袋と塵落とし部材の横断面図である。
【図１４】本発明の実施の形態の一例に係る電気掃除機の集塵袋と塵落とし部材の断面図である。（塵落とし部材取付時）
【図１５】本発明の実施の形態の一例に係る電気掃除機の集塵袋と塵落とし部材の断面図である。（塵落とし部材動作時）
【図１６】本発明の実施の形態の一例に係る電気掃除機の蓋と塵落とし部材の横断面図である。
【発明を実施するための形態】
【００１５】
以下、図面を用いて本発明の実施例を説明する。
【実施例１】
【００１６】
先ず初めに、図１乃至図７を用いて、本発明の一実施形態における電気掃除機について説明する。
【００１７】
図１は、本発明を用いた集塵袋式の電気掃除機を斜め前方から見た全体斜視図である。
【００１８】
本発明における電気掃除機１は、本体ケース３の後面側に位置する電動送風機と、本体ケース３の前面側に位置する集塵室１６と、を有する掃除機本体２を備えている。
【００１９】
更に、図１に示すように、本発明における電気掃除機１は、本体ケース３にハンドル５が備え付けられており、電気掃除機１を移動する際に、ハンドル５を把持し持ち運ぶことが可能な構造となっている。
【００２０】
また、本体ケース３には走行車輪６が設けられており、電気掃除機１を使用する際に前後左右自在に掃除機本体２を移動することができる。
【００２１】
本体ケース３の前面側上部には蓋４が開閉可能に取り付けられており、蓋４を開けることにより、電気掃除機１の内部すなわち後述する集塵室１６が開放状態となる。
【００２２】
蓋４には、蓋４を貫通するホース接続口７が設けられている。このホース接続口７は、電気掃除機１の外部と集塵室１６とを連通するように形成されている。
【００２３】
ホース接続口７には、図示しない電気掃除機用ホースが回転自在に接続され、電気掃除機１の使用時に、電気掃除機用ホースを介して吸引されたゴミや塵、埃が集塵室１６内へ吸い込まれる。
【００２４】
ここで、本実施例において説明する電気掃除機１は、上記のように電気掃除機用ホースが電気掃除機１に回転自在に接続されるスイーベル掃除機を例に用いているが、本発明はスイーベル掃除機に限定されるものではなく、集塵袋式の電気掃除機であれば、他のタイプの掃除機にも適用することもできる。
【００２５】
また、蓋４には電気掃除機１の吸引状態（吸引力）を表示するインジケータ８が設けられており、吸引状態（吸引力）をユーザが目視で確認することができる。
【００２６】
例えば、集塵室内に吸引されたゴミが一杯になったり、集塵室１６内の集塵袋２１が目詰まりして吸引力が低下した場合、このインジケータ８により吸引力の低下を確認することができる。
【００２７】
蓋４には窓９が設けられており、電気掃除機１の外部から集塵室１６内部の状態を目視で確認することができる。
【００２８】
本体ケース３の後面側上部には、排気口１１が設けられている。図１には図示していないが、本体ケース３の後面側すなわち集塵室１６の後ろ側には電動送風機が設けられている。この電動送風機を起動することにより、掃除機本体２内部において、ホース接続口７から排気口１１に向かう気流が生じる。
【００２９】
ホース接続口７から吸引された空気は、集塵室１６、電動送風機を介して掃除機本体２内部を流れ、排気口１１から掃除機本体２の外部へと排出される。
【００３０】
また、本体ケース３の後面側上部には、吸引力調整つまみ１０が設けられている。この吸引力調整つまみ１０により、吸引力（電動送風機の回転数）を調整することができる。
【００３１】
本体ケース３の後面側上部には、電源ボタン１２や電源コード巻取ボタン１３なども設けられている。
【００３２】
図２は、本発明を用いた集塵袋式の電気掃除機を斜め後方から見た全体斜視図である。
【００３３】
本実施例における電気掃除機１には、後面側にブロアー機能用接続口１４と、ブロアー機能用接続口１４が開閉可能となるように設けられるブロアー機能用蓋１５と、が設けられている。
【００３４】
このブロアー機能用接続口１４は、電気掃除機１を停止している場合や、電気掃除機１を塵埃を吸引するために使用する場合は、ブロアー機能用蓋１５により閉塞されている。この場合、電動送風機の後流は全て排気口１１から掃除機本体２の外部へと排気される。
【００３５】
電気掃除機１を塵埃を吹き飛ばすために使用する場合、つまり電気掃除機１をブロアーとして使用する場合には、このブロアー機能用接続口１４にホースや管を接続して使用する。ブロアー機能用接続口１４にホースや管を接続するときは次のように行う。
【００３６】
ホースや管によって、電気掃除機１の外側からブロアー機能用蓋１５を押すことで、ブロアー機能用蓋１５を回動させる。ブロアー機能用蓋１５を回動させることにより、ブロアー機能用接続口１４を開放し、ホースや管とブロアー機能用接続口１４とを接続する。
【００３７】
ホースや管により回動されたブロアー機能用蓋１５は、電気掃除機１の内部で電動送風機から排気口１１への流路を塞ぐ役割を果たす。ホースや管の接続によるブロアーとしての使用への自動切り替えにより、排気口１１から排出されていた空気（排気）の一部或いは全部をブロアー機能用接続口１４から掃除機本体２の外部へ排出し、電気掃除機１をブロアーとして使用することができる。
【００３８】
図３は、本実施例の電気掃除機１において、蓋４を開けて集塵室１６を開放した状態を示している。図３は、集塵室１６の内部構造が分かり易いよう、集塵袋２１を装着していない状態を示している。
【００３９】
図示しない電動送風機と集塵室１６との境界部分すなわち集塵室１６の後面側かつ電動送風機の前面側には、保護フィルター１８が設けられている。蓋４の内側には塵落とし部材１９が設けられている。塵落とし部材１９については後記する。
【００４０】
集塵室１６内には、集塵袋２１を保持する集塵袋保持部材２０が設けられている。
【００４１】
図４Ａは、集塵袋保持部材２０の斜視図である。集塵袋保持部材２０は、支持部２０ａと、保持部２０ｂと、リブ２０ｃと、本体支持部２０ｄと、を有する。支持部２０ａは略板形状をしている。保持部２０ｂは、支持部２０ａの一端に位置し、略コの字形状をしている。リブ２０ｃは、保持部２０ｂの端部に位置し、略板形状をしている。本体接触部２０ｄは、リブ２０ｃの端部にリブ２０ｃと直交するように位置し、略板形状をしている。
【００４２】
図４Ｂは、集塵袋保持部材２０の平面図である。集塵袋保持部材２０は、平面視で略Ｙ字形状となっている。
【００４３】
図５に示すように、集塵袋保持部材２０は、支持部２０ａにおける保持部２０ｂとは反対側の端部で、本体ケース３における集塵室１６の後面側の上部付近（保護フィルター１８の上部付近）に回動可能となるように取り付けられている。
【００４４】
集塵袋保持部材２０が回動可能であるため、集塵袋２１を取り付ける際に集塵袋保持部材２０が邪魔とならず、取り付け易いという効果を奏する。
【００４５】
また、本実施例における集塵袋保持部材２０は、図４に示すように、支持部２０ａにおける保持部２０ｂとは反対側の端部がバネを介して本体ケース３に取り付けられている。バネを介して取り付けられていることにより、図３や図５に示すように、集塵袋保持部材２０に集塵袋２１が取り付けられていない状態において、支持部２０ａにおける保持部２０ｂとは反対側の端部を軸として集塵袋保持部材２０が上方へ付勢されている。
【００４６】
これにより、集塵袋２１を取り付ける際に、集塵袋保持部材２０を自ら回動させる必要がなく、更に取り付け易いというという効果を奏する。
【００４７】
本体接触部２０ｄは、集塵袋保持部材２０が下方向に回動された場合に、本体ケース３と接し、集塵袋保持部材２０を支持する
保持部２０ｂにおける支持部２０ａとの連結部の近傍には凸部（突起）２７が設けられている。凸部２７は、集塵袋２１を集塵袋保持部材２０に取り付ける際、集塵袋２１の口板部２１ａに設けられた切欠き２４に入り、集塵袋保持部材２０に対する口板部２１ａの位置決めとして機能する。
【００４８】
更に、集塵袋保持部材２０と支持部３２の連結部近傍には凸部（突起）２８および凸部（突起）２９が設けられている。凸部２８，２９は、凸部２７よりも小さく、それぞれ凸部２７の左右に位置する。凸部２８，２９は、集塵袋２１を集塵袋保持部材２０に装着する際、集塵袋２１の口板部２１ａに設けられた穴２５および穴２６に嵌合し、集塵袋保持部材２０に対する口板部２１ａの位置決めおよび係止手段として機能する。
【００４９】
保持部２０ｂの内側で支持部２０ａとは反対側には、傾斜部３５が延在して設けられている。
【００５０】
保持部２０ｂの内側で略コの字型の両側には、ガイドレール３０が延在して設けられている。傾斜部３５、ガイドレール３０については、後記する。
【００５１】
ここで、集塵袋保持部材２０は、保持部２０ｂの長さＳ５が、支持部２０ａを含む集塵袋保持部材２０の全長Ｓ４の半分よりも短くなるように形成されている。つまり、保持部２０ｂの長さＳ５と支持部３２を含む集塵袋保持部材２０の全長Ｓ４との関係は、Ｓ５＜Ｓ４／２である。
【００５２】
このように、集塵袋保持部材２０の全長に対して、集塵袋２１を装着する略コの字型の保持部２０ｂの長さを半分以下にすることで、集塵袋保持部材２０の重心が集塵袋保持部材２０の長さ方向の保持部側に位置し、集塵袋保持部材２０に集塵袋２１を装着した際に自重で集塵袋保持部材２０が降下し易くなるように構成されている。
【００５３】
図５は、図３における電気掃除機１の前面から後面に跨る横断面を示している。
【００５４】
図５のように、集塵袋保持部材２０の先が上方向に位置している状態では、そのまま蓋４を回動させ閉めようとしても、集塵袋保持部材２０の先が蓋４に接触し、蓋４のそれ以上の回動を防止する。つまり、集塵袋保持部材２０に集塵袋２１が装着されていない状態では、蓋４を閉めることができない構造となっており、集塵袋２１を未装着のまま電気掃除機１を運転することのないようにしている。
【００５５】
なお、前記のように、集塵袋２１を集塵袋保持部材２０に装着すると、集塵袋保持部材２０が下方向に回動するため、集塵袋２１を装着した状態では集塵袋保持部材２０の先が蓋４に接触することはない。
【００５６】
次に図６および図７を用いて、集塵袋保持部材２０に集塵袋２１が装着される際の状態について説明する。
【００５７】
図６は、集塵袋保持部材２０に集塵袋２１を装着した直後の状態を示している。集塵袋保持部材２０に集塵袋２１の口板部２１ａを装着する。集塵袋本体すなわち集塵袋２１は、図６に示すように、集塵室１６内に収納される。
【００５８】
集塵袋２１の口板部２１ａに設けられた開口２３すなわち集塵袋２１の吸い込み口が蓋４のホース接続口７と連通するように、集塵袋２１の口板部２１ａが集塵袋保持部材２０に装着される。
【００５９】
ここで、集塵袋２１の口板部２１ａは、後記するように、集塵袋２１の口板部２１ａに設けられた穴２５，２６と集塵袋保持部材２０に設けられた凸部（突起）２８，２９が嵌合するように集塵袋保持部材２０に装着される。
【００６０】
上記のように、集塵袋保持部材２０は、集塵袋２１を装着されていない状態においては、バネにより上方へ付勢して保持されているが、集塵袋２１の口板部２１ａを集塵袋保持部材２０に装着すると、集塵袋２１の自重により、集塵袋保持部材２０、集塵袋２１、口板部２１ａが降下し、集塵室１６内に集塵袋２１が自動的に装着される。
【００６１】
つまり、集塵袋２１が装着されていない状態においては、集塵袋保持部材２０はバネの力により上方へ付勢されて保持されているが、集塵袋保持部材２０に集塵袋２１を装着すると、集塵袋２１の重さがバネの力に勝って、集塵袋保持部材２０が降下する。
【００６２】
集塵袋２１に肩落ち部３６が設けられているため、集塵袋保持部材２０に集塵袋２１を装着後、集塵袋保持部材２０が降下する際に、集塵室の内壁等にぶつかることがないという効果を奏する。
【００６３】
図７は、図６における電気掃除機１の前面から後面に跨る横断面を示している。図７においては、集塵袋保持部材２０に集塵袋２１が装着され、集塵袋保持部材２０が降下し、集塵袋保持部材２０の本体接触部２０ｄが本体ケース３と接し、集塵袋保持部材２０を支持する状態を示している。図７では、電気掃除機１の全体構成が分かり易いよう、集塵室１６に収納される集塵袋２１は省略している。
【００６４】
ここで、図７に示すように、集塵室１６の幅Ｓ２は、電気掃除機１の全長Ｓ１の半分以上を占めており、大容量の集塵室１６となっている。
【００６５】
つまり、電気掃除機１の全長Ｓ１と集塵室１６の幅Ｓ２との関係はＳ２＞Ｓ１／２であり、集塵室１６の幅Ｓ２と電動送風機室の幅Ｓ３との関係は、Ｓ２＞Ｓ３である。
【００６６】
このように、本実施例における電気掃除機１は、電気掃除機１の本体の前面から後面に跨る横断面において、集塵室１６の幅が電気掃除機１の本体の全長の半分以上の長さになるように設けられている。これにより、集塵室１６を大容量化つまり電気掃除機１を大集塵化しても、電気掃除機自体をコンパクトに設計することができ、電気掃除機１の取り扱いが容易になる。
【００６７】
電気掃除機の前面から後面に跨る横断面において、集塵室の幅が前記電気掃除機の全長の半分よりも長いことにより、集塵室の容量が大きい電気掃除機１とすることができる。幅が大きな集塵室に、その幅に合う大きさの集塵袋２１を取り付ける際、特許文献１に記載の構造では、集塵袋２１の袋部も大きく集塵室内に納めづらいため、取り付けが容易ではない恐れがある。実施例中に記載のように、集塵袋２１が装着されていない状態においては、バネの力により上方へ付勢されて保持されている集塵袋保持部材２０であれば、大きな集塵袋２１の取り付けが容易となる。
【００６８】
図８乃至図９を用いて、本実施例における電気掃除機１の集塵袋２１および集塵袋保持部材２０について詳細に説明する。
【００６９】
図９Ａ乃至図９Ｃは、本実施例における集塵袋２１を示している。図９Ａは集塵袋２１の平面図である。また、図９Ｂは、図９ＡにおけるＡ−Ａ’断面を示している。図９Ｃは、図９ＡにおけるＢ−Ｂ’矢視図である。
【００７０】
図９Ａ〜Ｃに示すように、集塵袋２１は、口板部２１ａと、口板部２１ａに接続された袋部２１ｂと、袋部２１ｂにおける口板部２１ａとは反対側を塞ぐ塞ぎ部材２２と、で構成されている。
【００７１】
図８は、集塵袋２１の口板部２１ａを示している。口板部２１ａは、略四角板形状をしており、口板２２の中央部には蓋４に設けられたホース接続口７と向かい合う開口２３が設けられている。ホース接続口７から吸引された空気とゴミは、口板部２１ａの開口２３を介して集塵袋２１に吸い込まれる。
【００７２】
口板部２１ａの一側部には、切欠き２４が設けられている。切欠き２４は、前記のように、集塵袋２１を集塵袋保持部材２０に装着する際、集塵袋保持部材２０に設けられた凸部（突起）２７が入り、集塵袋保持部材２０に対する口板部２１ａの位置決めとして機能する。
【００７３】
また、口板部２１ａには、切り欠き２４の左右に位置するように穴２５および穴２６が設けられている。穴２５，２６は、切り欠き２４よりも小さい開口である。前記のように、穴２５、２６は、集塵袋２１を集塵袋保持部材２０に装着する際、後述する集塵袋保持部材２０に設けられた凸部（突起）２８および２９にそれぞれ嵌合し、集塵袋保持部材２０に対する口板部２１ａの位置決めおよび係止手段として機能する。
【００７４】
なお、本実施例においては、口板部２１ａに設けられる穴２５および２６、集塵袋保持部材２０に設けられる凸部（突起）２８および２９は、それぞれ２つずつ設けられている例を示しているが、各々少なくとも１つ以上設けてあれば、口板部２１ａを集塵袋保持部材２０に保持（係止）するという効果を奏する。但し、口板部２１ａの穴、集塵袋保持部材２０の凸部（突起）をそれぞれ２つ以上設けることにより、集塵袋保持部材２０に対する口板部２１ａの装着の位置決めの精度を向上することができる。
【００７５】
口板部２１ａの素材としては、例えば、プラスチックや厚紙などを用いることができる。
【００７６】
袋部２１ｂは袋開口部２１ｂ１と端開放部２１ｂ２とを有する袋状の部分である。袋開口部２１ｂ１は、口板部２１ａの開口２３とつながっている。端開放部２１ｂ２は、袋開口部２１ｂ１とは反対の方にあり、塞ぎ部材２２で塞ぐことができる。
【００７７】
集塵袋２１の袋部２１ｂの素材としては、例えば、繊維や不織布を用いることができる。この場合、集塵袋２１内のゴミを廃棄した後に洗浄して繰り返し使用することができる。
【００７８】
また、集塵袋２１を使い捨てする場合は、紙やメルトブローなどのプラスチック素材を用いて、いわゆる紙パックとしてもよい。
【００７９】
なお、集塵袋２１の袋部２１ｂには、集塵室１６内へ装着される際に、集塵室１６の内壁やその他の構造物と干渉しないよう、肩落ち部３６が設けられている。肩落ち部３６は、袋部２１ｂにおける橋開放部２１ｂ２とは反対側の端部で口板部２１ａの左右に設けられている。集塵袋２１において、袋部２１ｂの反対側の端部は、口板部２１ａの切り欠き２４がある端部とは反対側の端部よりも切り欠き２４側に位置している。
【００８０】
袋部２１ｂは、口板部２１ａ側から離れる方向に行くに従い口板部２１ａの反対側の端部から離れる方向に向かうような形状をしており、肩落ち部３６は、その斜め形状の部分を指す。集塵袋２１を集塵袋取り付け部２２に取り付けた際、口板部２１ａの切り欠き２４がある端部が電気掃除機１の後ろ方向、反対側の端部が電気掃除機１の前方向を向くように位置している。
【００８１】
袋部２１ｂが平面視で略四角形状であると、集塵袋２１を集塵袋保持部材２０に装着することで集塵袋保持部材２０が下方向に回動しても、袋部２１ｂの角が本体ケース３に接触してしまい下方向へ回動しきらないという恐れがある。更に、袋部２１ｂの角が本体ケース３に接触し、蓋４が閉まらなくなる恐れがある。この場合、袋部２１ｂを集塵室１６内に手で入れ直すという手間がかかる恐れがある。
【００８２】
本実施形態のように、袋部２１ｂに肩落ち部３６を設けることで、袋部２１ｂが本体ケース３に接触する恐れを低減することができる。これにより、集塵袋２１を集塵袋保持部材２０に取り付けるだけで、集塵袋保持部材２０が下方向に回動し、集塵袋２１の本体接触部２０ｄと本体ケース３とが接触することができ、容易に装着することができるという効果を奏する。
【００８３】
図１０Ａ乃至図１０Ｄを用いて、集塵袋２１の口板部２１ａを集塵袋保持部材２０に装着する方法を説明する。図１０Ａ乃至図１０Ｄは、集塵袋保持部材２０および口板部２１ａの一部断面を示している。
【００８４】
先ず、図１０Ａのように、集塵袋２１の口板部２１ａを集塵袋保持部材２０の保持部２０ｂに対してほぼ平行な状態となるように近づける。
【００８５】
次に、図１０Ｂに示すように、口板部２１ａを、集塵袋保持部材２０に設けられたガイドレール３０上におき、ガイドレール３０上を滑らせるように押す。
【００８６】
次に、図１０Ｃに示すように、口板部２１ａを、集塵袋保持部材２０に設けられた傾斜部３５に沿うように、押す。
【００８７】
更に口板部２１ａを押すことで、図１０Ｄに示すように、口板部２１ａは集塵袋保持部材２０に設けられた凸部（突起）２８および２９を乗り越え、凸部（突起）２８，２９と口板部２１ａの穴２５，２６が合う位置で嵌合し、口板部２１ａが集塵袋保持部材２０上に装着される。集塵袋２１が集塵袋保持部材２０にロックされて保持される。
【００８８】
このとき、集塵袋保持部材２０の凸部（突起）２７および口板部２１ａの切欠き２４は、集塵袋保持部材２０上における口板部２１ａの位置決めとして機能している。
【００８９】
図１１Ａ乃至図１１Ｃを用いて、集塵袋保持部材２０に設けられた凸部（突起）２８および傾斜部３５、段差部１３５，２３５、ガイドレール３０，１３０１，２３０について説明する。図１１Ａ乃至図１１Ｃは、いずれも図４におけるＣ−Ｃ’断面を示している。
【００９０】
図１１Ａは、本実施形態の図である。図１１Ａに示す集塵袋保持部材２０には、傾斜したガイドレール３０と、ガイドレール３０に連続して設けられている傾斜部３５と、が設けられている。
【００９１】
このタイプの集塵袋保持部材２０に口板部２１ａを装着する場合、口板部２１ａをガイドレール３０と傾斜部３５の傾斜に沿って押すことで、口板部２１ａの先端部分が比較的容易に凸部（突起）２８を乗り越え、凸部（突起）２８に穴２５を嵌合させることができるという効果を奏する。
【００９２】
但し、傾斜が設けられている分、図１１Ｂの集塵袋保持部材２０に比べて、穴２５を凸部（突起）２８に係止し難くなるため、集塵袋保持部材２０を形成する際に傾斜部３５の傾斜角度に注意が必要になる。
【００９３】
図１１Ｂは、図１１Ａの別実施例であり、集塵袋保持部材２０には、平坦なガイドレール１３０と、ガイドレール１３０と段差となるように設けられた段差部１３５と、を設けた例を示している。このタイプの集塵袋保持部材２０に口板部２１ａを装着する場合、口板部２１ａをガイドレール１３０に沿って押し、口板部２１ａの先端部分を少し持ち上げながら段差部１３５を乗り越え、凸部（突起）２８に穴２５を嵌合させる。
【００９４】
このタイプの集塵袋保持部材２０は、集塵袋２１を装着する際に口板部２１ａの先端部分を少し持ち上げる必要があるが、ガイドレール１３０の表面は凸部（突起）２８が設けられている集塵袋保持部材２０の表面とほぼ平行になっており、比較的簡易に集塵袋保持部材２０にガイドレール３０を形成することができるという効果を奏する。
【００９５】
図１１Ｃは、図１１Ａに示した集塵袋保持部材２０の変形例である。図１１Ｃに示す集塵袋保持部材２０には、傾斜角θ２で傾斜したガイドレール２３０と、ガイドレール２３０とは異なる傾斜角θ１で傾斜した傾斜部２３５と、が設けられている。
【００９６】
このタイプの集塵袋保持部材２０は、図１１Ａに示した集塵袋保持部材２０と同様にガイドレール２３０と傾斜部２３５とに傾斜が設けられており、口板部２１ａを傾斜部２３５の傾斜に沿って挿入することで、口板部２１ａの先端部分が比較的容易に凸部（突起）２８を乗り越え、凸部（突起）２８に穴２５を嵌合させることができる。
【００９７】
ここで、傾斜部２３５の傾斜角θ１がガイドレール２３０の傾斜角θ２よりも傾斜しているため、穴２５を凸部（突起）２８に係止し易くなるという効果を奏する。
【００９８】
集塵袋保持部材２０が略コの字型であって、ガイドレールは、略コの字型の両側にあるため、集塵袋２１の口板２２の両側を支持するよう載置することができる。また、ガイドレール３０が略コの字型の両側にあるため、集塵袋２１の口板２２の両側を支持したままガイドレール３０に沿って凸部（突起）２８および凸部（突起）２９の方へとスライドさせることができる。スライドさせることができるため、集塵袋２１と集塵袋保持部材２０に取り付け易いという効果を奏する。
【００９９】
図１２は本発明の実施の形態の一例に係る塵落とし部材１９の斜視図である。
【０１００】
塵落とし部材１９は、ハニカム構造で形成された、通気穴３７を有している。通気穴３７を設けていることにより、通気性を持たせることができる。各通気穴３７がハニカム構造となるように塵落とし部材１９を形成しているため、強度を確保するためのリブなどを設けることなく十分な強度を確保することができ、かつリブなどを設けることがないため小型、軽量とすることができる。
【０１０１】
図１３は本発明の実施の形態の一例に係る電気掃除機本体の集塵袋２１と塵落とし部材１９の横断面図である。
【０１０２】
図１３のような状態のとき、塵落とし部材１９は蓋４の内側に取り付けられ、塵落とし部材１９のリブ３９が蓋体４に当接することによって、塵落とし部材１９と蓋体４の間には流路空間３８が形成されている。これにより、集塵袋２１が膨らんだ際も、集塵袋２１を通過した空気が流路空間３８を通ることで、集塵袋２１が蓋体４の内側に張り付くことなく空気の流れる空間を確保し、集塵袋２１に塵埃が堆積した場合も吸引力の低下を防ぐことができる。
【０１０３】
図１４、１５は本発明の実施の形態の一例に係る電気掃除機の集塵袋２１と塵落とし部材１９の断面図である。
【０１０４】
図１４に示すように塵落とし部材１９は上下に動作可能な状態で、蓋４に取り付けられ、初期状態においては水平に配置され、弾性体により前記集塵袋２１から離れる方向に力を加えられている。この状態から電動或いは電源コードの巻き取り機構を動作した際に、塵落とし部材１９が回動軸４３を中心に集塵袋２１の位置する下方向に動作する(図１５)。塵落とし部材１９が下がることで集塵袋２１を叩き、集塵袋の内部表面に堆積した塵埃４２を落とし、吸込力を回復する。塵落とし部材１９は弾性変形を利用し、塵落とし部材１９が下側に可動しても再び元の水平な配置の位置に戻ることができる。このとき、落とし部材１９の回転軸から最も離れた位置の形状が凸部（突起）４０である。
【０１０５】
次に、塵落とし部材１９における凸部（突起）４０の位置関係について、説明する。
【０１０６】
図１６は本発明の実施の形態の一例に係る電気掃除機の蓋４と塵落とし部材１９の横断面図である。
【０１０７】
塵落とし部材１９は蓋体４に沿うような曲面４１を有し、曲面４１から集塵袋２１の側に最も突出した部位が凸部（突起）４０である。塵落とし部材１９を支持する軸部から最も遠い位置に配置されている。これにより、塵落とし部材が上下に動作した時に、最も効果的に集塵袋２１を叩くことが出来、より長く吸引力の低下を防ぐことができる。
【０１０８】
塵落とし部材１９により集塵袋２１の内部表面の塵を除去している様子は、蓋４に設けられた窓９を介して電気掃除機１の外側から目視で確認することができる。
【０１０９】
ここで、塵落とし部材１９は、集塵袋保持部材２０と直接干渉しないような形状にすることで、集塵袋２１のみを振動させることができ、より効率的に集塵袋２１の内部表面に付着した塵を叩き落とすことができる。なお、集塵袋保持部材２０の形状を塵落とし部材１９と直接干渉しないような形状に形成してもよい。
【０１１０】
本実施形態では、平面視で、塵落とし部材１９は略凹形状であり、集塵袋保持部材２０は略Ｙ字形状である。塵落とし部材１９の略凹形状の左右の凸部分が、集塵袋保持部材２０の略Ｙ字形状の脇の部分に位置することになる。そのため、塵落とし部材１９と集塵袋保持部材２０とは直接干渉することがなく、塵落とし部材１９により集塵袋２１のみを振動させることができる。
【０１１１】
上記の通り、塵落とし部材１９により、集塵袋２１の内部表面に付着した塵を除去することができる。集塵袋２１の内部表面に付着した塵埃を除去することで集塵袋２１の目詰まりを防ぎ、集塵袋２１に多くの塵埃を集めることができる。なお、目詰まりを防ぐため、電気掃除機の吸引持続率を高くすることができる。
【０１１２】
以上説明したように、本実施例における電気掃除機によれば、掃除機本体への集塵袋２１の装着が容易な集塵袋式の電気掃除機を実現することができる。
【０１１３】
また、集塵袋２１の内側表面に付着した塵を落とす塵落とし機構を集塵室内に設けることにより、集塵袋２１の目詰まりを抑制し、吸引力が低下し難い集塵袋式の電気掃除機を実現することができる。
【０１１４】
また、電気掃除機の前面から後面に跨る横断面において、集塵室の幅を掃除機本体の全長の半分よりも長くなるように集塵室を設けることで、集塵能力を大容量化しつつ、電気掃除機自体をコンパクトに設計することが可能になる。
【０１１５】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【０１１６】
１…電気掃除機、２…掃除機本体、３…本体ケース、４…蓋、５…ハンドル、６…走行車輪、７…ホース接続口、８…インジケータ、９…窓、１０…吸引力調整つまみ、１１…排気口、１２…電源ボタン、１３…電源コード巻取ボタン、１４…ブロアー機能用接続口、１５…ブロアー機能用蓋、１６…集塵室、１７…電動送風機室、１８…保護フィルター、１９…塵落とし部材、２０…集塵袋保持部材、２１…集塵袋、２１ａ…口板部、２１ｂ…袋部、２２…塞ぎ部材、２３…開口、２４…切欠き、２５，２６…穴、２７，２８，２９…凸部（突起）、３０…ガイドレール、３２…支持部、３３，３４…リブ（梁）、３５,２３５…傾斜部、１３５…段差部、３６…肩落ち部、３７…通気穴、３８…流路空間、３９…リブ、４０…凸部（突起）、４１…曲面、４２…塵埃、４３…回動軸
【図１】
2018042584.tif 000003
【図２】
2018042584.tif 000004
【図３】
2018042584.tif 000005
【図４Ａ】
2018042584.tif 000006
【図４Ｂ】
2018042584.tif 000007
【図５】
2018042584.tif 000008
【図６】
2018042584.tif 000009
【図７】
2018042584.tif 000010
【図８】
2018042584.tif 000011
【図９Ａ】
2018042584.tif 000012
【図９Ｂ】
2018042584.tif 000013
【図９Ｃ】
2018042584.tif 000014
【図１０Ａ】
2018042584.tif 000015
【図１０Ｂ】
2018042584.tif 000016
【図１０Ｃ】
2018042584.tif 000017
【図１０Ｄ】
2018042584.tif 000018
【図１１Ａ】
2018042584.tif 000019
【図１１Ｂ】
2018042584.tif 000020
【図１１Ｃ】
2018042584.tif 000021
【図１２】
2018042584.tif 000022
【図１３】
2018042584.tif 000023
【図１４】
2018042584.tif 000024
【図１５】
2018042584.tif 000025
【図１６】
2018042584.tif 000026